(57)【要約】【課題】  本発明は、生体情報検知手段によって活動時の使用者の状態を詳細に検知し判定することで、従来より使用者ごとに最適な浴室環境に制御することが可能な浴室システムを得る。【解決手段】  この発明に係る浴室システムにおいては、浴室にて使用者が入浴する浴槽に湯水を供給する給湯装置と、使用者の生体情報または使用者の周囲環境のうち、少なくとも一方を検知する生体情報検知手段と、生体情報検知手段が検知する生体情報又は周囲環境情報を入力し、浴槽の入浴条件を表示する入浴条件表示手段とを備えるものである。【選択図】図１
2017015276.tif 000002
【特許請求の範囲】
【請求項１】
使用者が入浴する浴槽に湯水を供給する給湯装置と、
前記使用者の生体情報または前記使用者の周囲環境情報のうち、少なくとも一方を検知する生体情報検知手段と、
前記生体情報検知手段が検知する前記生体情報又は前記周囲環境情報を入力し、前記浴槽の入浴条件を表示する入浴条件表示手段と、
を備える入浴システム。
【請求項２】
前記生体情報検知手段の検知結果を入力し、前記浴槽の目標湯温または目標湯量のうち、少なくとも一方を変更した入浴条件を作成する入浴条件作成手段と、
前記入浴条件作成手段が作成した入浴条件に前記給湯装置を制御する給湯制御手段と、を備える
請求項１に記載の入浴システム。
【請求項３】
前記生体情報検知手段は、前記使用者の負荷状態を判定する体調判定手段を備え、
前記給湯制御手段は、前期体調判定手段の判定結果に応じて前記給湯装置を制御する
請求項２に記載の入浴システム。
【請求項４】
前記体調判定手段は、前記使用者の身体負荷、精神負荷、及び体感温度のうち少なくとも１つ以上を判定する請求項３に記載の入浴システム。
【請求項５】
前記入浴条件作成手段は、複数の入浴条件を作成し、
前記給湯制御手段は、前記複数の入浴条件のうちで前記使用者が選択した入浴条件に応じて前記給湯装置を制御する請求項２から４のいずれか一項に記載の入浴システム。
【請求項６】
前記入浴条件作成手段は、前記使用者の過去に前記生体情報検知手段が検知した情報に応じて、前記入浴条件を作成する請求項２から５のいずれか一項に記載の入浴システム。
【請求項７】
前記生体情報検知手段は、前記使用者の脈拍、体動、体温、発汗、筋収縮量、前記使用者の周囲の気温、及び前記使用者の周囲の湿度のうち、少なくとも１つを検知した結果から身体負荷を判定する請求項１から６のいずれか一項に記載の入浴システム。
【請求項８】
前記入浴条件作成手段は、複数の前記生体情報検知手段の検知情報から前記入浴条件を作成する請求項２から７のいずれか一項に記載の入浴システム。
【請求項９】
前記入浴条件は、入浴時間、浴室温度、浴室湿度、浴室への送風の有無、及び、浴槽中の水流の有無のうち、少なくとも一つの情報をさらに含む請求項１から７のいずれか一項に記載の入浴システム。
【発明の詳細な説明】
【技術分野】
【０００１】
本発明は、入浴システムに関するものである。
【背景技術】
【０００２】
入浴者に快適な入浴を提供する手法の１つとして、例えば特許文献１のように、浴室外での使用者の行動情報によって浴室の環境を制御する浴室システムがある。
【先行技術文献】
【特許文献】
【０００３】
【特許文献１】特開２００６−２８８８１８
【発明の概要】
【発明が解決しようとする課題】
【０００４】
しかしながら上記浴室システムでは、使用者の行動情報として、外出の有無、外出時間、歩数等から浴室環境の制御を行うものであり、活動中に生じる使用者の身体的・精神的負荷の状況を詳細に把握しておらず、制御した浴室環境が使用者にとって適していない場合があるという課題があった。
【課題を解決するための手段】
【０００５】
本発明に係る入浴システムは、浴室にて使用者が入浴する浴槽に湯水を供給する給湯装置と、使用者の生体情報または使用者の周囲環境のうち、少なくとも一方を検知する生体情報検知手段と、生体情報検知手段が検知する生体情報又は周囲環境情報を入力し、浴槽の入浴条件を表示する入浴条件表示手段とを備えるものである。
【発明の効果】
【０００６】
本発明は、生体情報検知手段によって活動時の使用者の状態を詳細に検知し判定することで、従来より使用者ごとに最適な浴室環境に制御することが可能な浴室システムを得る。
【図面の簡単な説明】
【０００７】
【図１】本発明に係る実施の形態１における入浴システムの概略図である。
【図２】本発明に係る実施の形態１における生体情報検知手段の装着事例の概略図である。
【図３】本発明に係る実施の形態１におけるリモコン装置の概略図である。
【図４】本発明に係る実施の形態１における入浴システムのブロック図である。
【図５】本発明に係る実施の形態１における入浴システムのフローチャートである。
【図６】本発明に係る実施の形態１における入浴システムの変形例を示す概略図である。
【図７】本発明に係る実施の形態１における入浴システムの他の変形例を示す概略図である。
【図８】本発明に係る実施の形態１のリモコン装置における入浴条件の表示例を示す概略図である。
【図９】本発明に係る実施の形態２における入浴システムの概略図である。
【発明を実施するための形態】
【０００８】
実施の形態１．
図１から図８を参照して、本発明の実施の形態１について説明する。
図１は、本発明に係る実施の形態１における入浴システムの概略図である。図１において、入浴システム１は、浴槽２、給湯装置３、給湯管４、浴室環境検知手段５、浴室環境制御手段６、リモコン装置７、生体情報検知手段８、制御部９等を備えている。尚、図中の点線はリモコン装置７から信号の流れを模式的の表すものであり、他の図においても同様である。
浴室１７内の浴槽２に貯水される湯水は、給湯装置３から給湯管４を経由して供給される。また、
給湯装置３、浴室環境検知手段５、浴室環境制御手段６、及び生体情報検知手段８は、リモコン装置７と通信可能に構成され、リモコン装置７内に制御部９が配置されている。生体情報検知手段８は、使用者３０の活動中の生体情報を検知し蓄積する構成になっている。
【０００９】
給湯装置３は、浴槽２に供給される湯水の温度及び量を制御できる。給湯装置３が備える加熱手段は、いかなる方式のものでも良く、例えば、ヒートポンプ、電気ヒータ、燃料の燃焼、及び太陽熱のいずれか、またはこれらの組み合わせにより構成される。給湯装置３は、浴槽２を保温または加温する追い焚き機能を有しても良い。
【００１０】
浴室環境制御手段６は、浴室１７内の温度及び湿度を制御する機器である。浴室環境制御手段６は、浴室１７の天井に備えられた浴室乾燥機等により、浴室１７に対し送風、暖房、または除湿を行うことが可能である。浴室環境検知手段５は、温度センサ及び湿度センサを備え、浴室１７内の温度及び湿度を検知する。本実施の形態１では、浴室環境検知手段５をリモコン装置７と一体に設けている。リモコン装置７と別の箇所に浴室環境検知手段５を設けても良い。浴室環境検知手段５で検知された浴室１７内の温度及び湿度の情報は、リモコン装置７の内部に設けられた制御部９へ送信される。
【００１１】
生体情報検知手段８は、使用者３０の生体情報または使用者３０の周囲環境の一方または両方を検知するものであり、例えば使用者３０の脈拍、体動、体温、発汗、筋肉の動き（筋運動量）、使用者３０の周囲の温度、及び使用者３０の周囲の湿度等のうち、少なくとも一つを検知することが望ましい。生体情報検知手段８が脈拍を検知する場合の方法は、例えば、発光部及び受光部を備え、生体の透過光または反射光から血管の容量変動を検知する光電式脈波法により検知することができる。
【００１２】
生体情報検知手段８が体動、歩数を検知する方法は、例えば、加速度センサの信号を測定アルゴリズムで処理する方法により検知することができる。また体動に関しては加速度センサから取得する加速度信号を測定アルゴリズムにより処理することにより、体動に加え歩行速度（通常歩行、走行）の区別も可能である。
【００１３】
体温を検知する方法は、例えば、サーミスタの電気抵抗変化により検知する。発汗を検知する方法は、例えば水分を吸収するフィルム等により水分蒸散量を測定することにより検知する。
筋肉の動き（筋運動量）を検知する方法は、例えば筋肉の収縮時に皮膚に発生する電流を検知し、測定アルゴリズムによる処理により、筋肉の収縮の動き（筋運動量）を検知する。
【００１４】
使用者３０の周囲の温度を検知する方法は、例えば熱電対によるゼーベック効果による電流変化により検知してもよい。使用者３０の周囲の湿度を検知する方法は、例えば物質の水分吸脱着による電気特性を利用した高分子容量式により検知してよい。生体情報検知手段８は使用者３０の活動時における上記の内、少なくとも１つを経時的に検知してもよい。
【００１５】
また、生体情報検知手段８は使用者３０が身体（例えば、手、腕、足、胴体など）に装着することができる着脱可能な装置としてよく、１つまたは複数装着してもよい。
【００１６】
図２は、本発明に係る実施の形態１における生体情報検知手段の装着事例の概略図である。図２において、生体情報検知手段８は使用者３０の身体に装着するのみならず、例えば服、靴、靴下等、外部の物体内に組み込まれ、この物体を装着することで身体に接触する形態としてもよい。
【００１７】
また、生体情報検知手段は上記検知手段以外にも、使用者３０の年齢、性別、体重、体脂肪等、個人の身体データを予め入力できる機能を備えてもよい。体重、体脂肪に関しては、手動で入力してもよく、例えば体重計と通信して接続可能であり、体重計で測定したデータを生体情報検知手段８に送信する形態でもよい。上記で測定した体重、体脂肪データ、年齢、性別は後述する入浴条件の設定に際し、例えば湯水が持つ熱量の移動により、体温が所定値以上ほど増加するまでの入浴時間等の決定に用いられてもよい。
【００１８】
生体情報検知手段８は、検知した各情報を元に、使用者３０の身体的負荷、体感温度、精神的負荷（ストレス）等の状態を推定する。身体的負荷の状態を推定する方法は、例えば加速度センサによる体動及び心拍を経時的検知することにより、体動が安静状態から所定値以上ほど大きく、かつ、心拍数が所定値以上であれば、身体的に負荷が高い状態であることが推定できる。
上記に加え、例えば、生体情報検知手段８を複数装着した場合、各検知手段が接続している身体部分の筋運動量を検知することによって、身体の身体負荷が高い部分が推定でき、特に強い身体負荷の部分が推定できる。
【００１９】
体感温度を推定する方法は、例えば、式（１）にて算出される不快指数と体感温度の関係を元に、気温と湿度によって体感温度を推定してよい。表１は不快指数と体感温度の関係を示す。
不快指数＝０．８１＊Ｔ＋０．０１Ｕ（０．９９Ｔ−１４．３）＋４６．３      （式１）
Ｔ：気温（℃），Ｕ：湿度（％）
また、体感温度の検知に関しては、使用者３０の体温と外気温との差における、体感温度との関係性から、推定してもよい。尚、上記の場合において、例えば、体温と外気温による体感温度の関係について、予め生体情報検知手段８内の記憶部（図示せず）内にプログラムされていてもよい。また体温については、例えば使用者３０の健康時に取得される体温を基準として、予め定められた値以上に高い又は低い場合は、体調不良と判定する等、使用者３０の体調管理として使用されてもよい。
【００２０】
【表１】
2017015276.tif 000003
【００２１】
精神的負荷の状態を推定する方法は、例えば体動のない状態で脈拍が安静時脈拍より大きい場合、あるいは発汗が安静時より多い場合には、精神的ストレスを受けていると推定できる。使用者３０の体動がなく且つ脈拍が安静時脈拍より大きい状態を生体情報取得手段８が検知した時間（精神的ストレスを受けていると推定される時間）を積算することで、精神的ストレスの大きさを判定し、この積算する時間が長いほど精神的負荷が大きいと推定しても良い。
【００２２】
図３は、本発明に係る実施の形態１におけるリモコン装置７の概略図である。図３において、リモコン装置７は、入浴条件表示手段の具体的な構成であって、文字、図形等で情報を表示する表示部１０と、使用者３０の操作を受け付けるボタン等が配置された操作部１１と、制御完了等の報知を行う報知手段１２とを備える。浴室の使用者３０が快適に入浴するため、入浴条件が表示部１０に表示される。複数の入浴条件が表示部１０に表示された場合には、使用者３０は、操作部１１を操作することで、希望する一つの入浴条件を選択できる。給湯装置３と浴室環境制御手段６によって、浴槽内の湯温や浴室内の室温等が設定値になった場合、報知手段１２により設定完了の報知を行う。本実施の形態１では、制御部９がリモコン装置７に内蔵されているが、リモコン装置７と別の箇所に制御部９を設けても良い。尚リモコン装置７は浴室内に設置するのみならず、浴室外に設置してもよく、また複数のリモコン装置７が通信可能に接続されていてもよい。
【００２３】
制御部９は、給湯装置３、浴室環境検知手段５、浴室環境制御手段６、リモコン装置７の表示部１０、及び操作部１１と通信可能に接続される。制御部９は、ＲＯＭ（リードオンリーメモリ）、ＲＡＭ（ランダムアクセスメモリ）、及び不揮発性メモリ等を含む記憶部と、記憶部に記憶されたプログラムに基づいて演算処理を実行するＣＰＵ（セントラルプロセッシングユニット）と、ＣＰＵに対して外部の信号を入出力する入出力ポートと、各装置等と通信する通信手段とを備える。制御部９は、生体情報検知手段８、浴室環境検知手段５、及び操作部１１から受信した情報に基づき、ＣＰＵで演算処理を実行する。制御部９は、ＣＰＵでの演算結果に基づく信号を給湯装置３、浴室環境制御手段６、及び表示部１０へ送信することで、これらの装置等を制御する。
【００２４】
図４は、本発明に係る実施の形態１における入浴システムの機能ブロック図である。図４において、制御部９は、入浴条件を作成する入浴条件作成手段１３と、入浴条件に基づいて給湯装置３の動作を制御する給湯制御手段１４とを有する。また、生体情報検知手段８は、検知部２０、制御部２１、第２通信手段２３で構成される。検知部２０は人の生体情報を検知することが可能であり、例えば体温を検知する。
使用者３０は入浴の準備をする際に、例えば、リモコン装置７と通信可能に接続され、浴室１７の外に設置される第２のリモコン装置（図示せず）の操作部に含まれる入浴ボタンを押下する等によって、入浴準備操作を行う。入浴準備の操作があった場合、生体情報検知手段８による活動中の使用者３０の各データを基に、制御部２１内の体調判定手段１５で使用者３０の身体的負荷、体感温度、精神的負荷を推定し、体調が判定される。その判定の結果が第１通信手段２２、第２通信手段２３を使用してリモコン装置７内の制御部９へ送信される。また、浴室環境検知手段５により検知される浴室温度及び浴室湿度も制御部９へ送信される。
【００２５】
生体情報検知手段８、浴室環境検知手段５等で取得した各データは、サーバーコンピュータ（図示せず）等に格納され、このサーバーコンピュータを経由して、制御部９へ各データを送信しても良い。生体情報検知手段８、または体調判定手段１５の機能の一部を制御部９に設けても良い。例えば、活動中の使用者３０の生体情報を検知するセンサで検知されたデータを制御部９へ送信し、当該データに基づいて制御部９が使用者３０の身体負荷の状態を判定しても良い。
【００２６】
次に、本発明の入浴システムの動作について説明する。
図５は、本発明に係る実施の形態１における入浴システムのフローチャートである。図５を参照して、入浴システム１の動作を説明する。図５において、使用者３０は、生体情報検知手段８を取り付けた状態で活動することにより、活動中の体動、脈拍等の生体情報を取得、蓄積する（ステップＳ１）。
次に、使用者３０が第２のリモコン装置等で入浴準備操作を行うと（ステップＳ２）、取得した生体情報のデータは、生体情報検知手段８、または制御部９において、使用者３０の活動時の身体的負荷、体感温度、精神的負荷等を推定し、体調判定手段１５にて使用者３０の体調が判定され、制御部９へ判定データが格納される（ステップＳ３）。
【００２７】
制御部９の入浴条件作成手段１３は、体調判定手段１５より判定した使用者３０の体調に基づいて、入浴条件を作成する（ステップＳ４）。入浴条件作成手段１３は、使用者３０の当日の活動中の生体情報または体調判定手段１５より判定した使用者３０の身体状況に基づいて入浴条件を作成しても良いし、過去一定期間（例えば過去１週間）の生体情報または体調判定手段１５により判定した使用者３０の身体状況に基づいて入浴条件を作成しても良い。入浴条件は、浴槽２の湯温条件及び湯量条件の一方または両方の情報を含む。入浴条件は、入浴時間、浴室温度、浴室湿度、浴室への送風の有無、及び浴水の水流の有無のうち、少なくとも一つの情報をさらに含んでも良い。入浴条件作成手段１３は、異なる複数の入浴条件を作成しても良い。
【００２８】
制御部９は、入浴条件作成手段１３により作成された入浴条件を表示部１０に表示することで使用者３０に提示する。使用者３０は、操作部１１を操作することで、提示された入浴条件を承認できる（ステップＳ５）。複数の入浴条件が提示された場合には、使用者３０は、操作部１１を操作することで、そのうちから希望する一つの入浴条件を選択及び承認できる。
【００２９】
制御部９の給湯制御手段１４は、使用者３０が選択（承認）した入浴条件に基づいて給湯装置３の動作を制御することで、浴槽２の湯温及び湯量の一方または両方を制御する（ステップＳ６）。入浴条件に、浴室温度、浴室湿度、及び、浴室への送風の有無、浴水の水流の有無のうちの少なくとも一つの情報が含まれる場合には、制御部９は、使用者３０が選択（承認）した入浴条件に基づいて浴室環境制御手段６の動作を制御することで、浴室温度、浴室湿度、及び、浴室への送風、浴水の水流の有無のうちの少なくとも一つを制御しても良い。
【００３０】
生体情報検知手段８での体温等の変化から入浴開始を判定（ステップＳ７）し、入浴中の生体情報を検知し蓄積する（Ｓ８）。入浴の終了を生体情報検知手段８で検知（ステップＳ９）するまで入浴中の生体情報を検知し蓄積する。
【００３１】
次に、本発明の入浴条件作成手段の詳細内容について説明する。
本実施の形態１では、入浴条件作成手段１３は、生体情報検知手段８により得られた身体状況の判定結果に基づいて、当日の使用者３０が快適な入浴を行うための入浴条件を作成しても良い。
使用者３０が快適に入浴するための入浴条件に関しては、例えば、浴槽の湯温及び湯量、浴槽内の水流、入浴時間、浴室の温度及び湿度等を制御する。
【００３２】
入浴条件作成手段１３は、制御部９の記憶部に蓄積された使用者３０の過去の活動中に生体情報検知手段８が検知した各データ、入浴条件、及び入浴データに基づいて、以下のようにして、使用者３０に合わせた入浴条件を作成しても良い。例えば、使用者３０の過去の活動時の体調判定から、身体負荷が高い部分（足、肩等）や、精神的な負荷が高くなる時期、寒く感じていると推定できる時期等の身体活動状況が示す傾向を割り出すことで、使用者３０の生活様態に合った入浴条件を作成できる。また、例えば入浴中の入浴者の心拍変動を測定アルゴリズムによる分析を行うことで、入浴者がリラックスしており、快適入浴がなされている傾向が得られたときの入浴条件を集め、それらの入浴条件が示す傾向を割り出すことで、使用者３０に合った入浴条件を作成できる。
【００３３】
表２及び表３に、本発明の実施の形態１における入浴システムにおいて、作成及び提示される入浴条件の例を示す。
表２において、生体情報検知手段８による身体負荷、精神負荷、体感温度を含めた体調判定を基に、入浴条件作成手段１３により作成された入浴条件１から入浴条件４のほか、予め記憶された標準の入浴条件を提示している。このように、入浴条件作成手段１３により作成された入浴条件に加えて、標準の入浴条件をさらに提示しても良い。
表３は、表２に記載された身体負荷、精神負荷、体感温度を含めた体調判定に対応して、浴槽２の湯温条件、湯量条件、入浴時間、浴室１７への送風の有無、浴槽内の水流の有無、浴室温度、及び浴室湿度を含む入浴条件である。湯温条件を「標準」、「高」、「低」で提示しているが、温度の数値で湯温条件を提示しても良い。また、湯量条件を「標準」、「多」、「少」で提示しているが、湯量の数値で湯量条件を提示しても良い。
尚、湯温条件等の具体的な数値は、例えば使用者３０が任意に設定しても良い。また、湯温及び湯量条件は、給湯制御手段１４が給湯装置３を制御する場合の目標値（目標湯温、目標湯量）になる。
【００３４】
【表２】
2017015276.tif 000004
【００３５】
【表３】
2017015276.tif 000005
【００３６】
表３の入浴条件１は、生体情報検知手段８による体調判定結果により、使用者３０が寒いと感じていると判定した結果に基づき、湯温を標準より高く設定した入浴条件である。表３の入浴条件２は、生体情報検知手段８による体調判定結果により、身体的負荷が高く、かつ、足部に特に強い身体的負荷が大きい判定した結果に基づいた条件である。この入浴条件２では、例えば、後述する図７に示す入浴システムの構成において、湯温を標準より低く、湯量を標準より低く、入浴時間を長くする。さらに、浴室環境制御手段６から送風し、浴槽２内の浴水を循環させる循環ポンプ１６により、水流を発生し、負荷の高い足部に水流を当て、足部の負荷を和らげつつ、半身浴によりリラックス効果をもたらす入浴条件である。実施の形態１における入浴システムでは、複数の入浴条件を作成及び提示し、使用者３０が入浴条件を選択可能とすることで、使用者３０の好みまたは当日の気分などに合わせた、より適切な入浴を行うことが可能となる。
【００３７】
入浴条件作成手段１３は、当日の活動時の生体情報のみに基づいて入浴条件を作成しても良いし、過去一定期間（例えば過去１週間）の生体情報に基づき、当該期間の活動時における生体情報の傾向を判断して、快適入浴のための入浴条件を作成しても良い。例えば、入浴条件作成手段１３は、過去の一定期間のうちで、例えば入浴中に検知する心拍変動等により快適な入浴がなされた入浴条件を再び提示しても良い。
【００３８】
次に、実施の形態１の入浴システムの変形例について説明する。
図６は、本発明に係る実施の形態１における入浴システムの変形例を示す概略図である。
図６において、使用者３０の入浴中には、入浴中の使用者３０の生体情報を取得する入浴時生体情報検知手段１８により、入浴中の使用者３０の体温、心拍等を測定してもよい。入浴終了後は、活動中の生体情報及び身体負荷状態の判定結果、入浴中の生体情報、及び使用者３０が選択した入浴条件を制御部９内の記憶部に蓄積する。制御部９は、活動中の生体情報、身体負荷状態の判定結果と、当日の入浴条件及び入浴データとを関連付けて記憶することが望ましい。
【００３９】
図７は、本発明に係る実施の形態１における入浴システムの他の変形例を示す概略図である。
図７において、循環経路に微細気泡発生装置を組み込んでもよく、微細気泡による温浴効果を含んだ入浴条件を設定してもよい。また、浴槽２の湯水を循環させる循環ポンプ１６は、複数備えられてもよく、浴槽２に設置される水流の吐出口の位置についてもこの限りでない。
【００４０】
図８は、本発明に係る実施の形態１のリモコン装置における入浴条件の表示例を示す概略図である。
図８において、表示１０に複数の入浴条件を表示するとき、そのうちで特に推奨する入浴条件を強調して表示しても良い。図８の例では、入浴条件１を強調して表示している。強調する方法は、色を変えて表示する、点滅させるなど、いかなる方法でも良い。制御部９は、記憶部に蓄積された使用者３０の過去の生体情報及び入浴条件において、例えば入浴中に検知する心拍変動等により快適な入浴がなされたと推定できる入浴条件がある場合には、その入浴条件を特に推奨する入浴条件として表示しても良い。
【００４１】
上述の実施例において、生体情報検知手段８は単一の機器での構成であったが、単一の機器のみならず、例えば時計等、携帯端末（図示せず）に組み込む形態でもよい。また、生体情報検知手段８による過去のデータ蓄積、身体負荷の判定結果、入浴条件等の記録はリモコン装置７の記憶部のみならず、例えば携帯端末と通信可能に接続されており、過去の取得データ等を携帯端末等で閲覧できる形態でもよい。また、上記携帯端末は生体情報検知手段８が取得するデータから、身体負荷を判定するアルゴリズム機能を備えており、浴室リモコンに通信により判定結果を送信する形態としてもよく、携帯端末による判定結果を受信した制御部が複数の入浴条件を設定してもよい。
【００４２】
また、制御部９による複数の入浴条件を作成した結果は、リモコン装置７のみならず、携帯端末に表示する形態でもよい。入浴者は携帯端末に表示された入浴条件を選択することで、制御部が選択した入浴条件に基づき、給湯制御手段１４、浴室環境制御手段６を制御する構成にしてもよい。
【００４３】
実施の形態２．
図９を参照して、本発明の実施の形態２について説明する。
図９は、本発明の実施の形態２における入浴システムの概略図を示すものである。
実施の形態２における入浴システム１は、単一の使用者３０のみに適用されるだけでなく、浴室１７を共用する複数の使用者３０がいる場合にも適用可能である。
図９において、入浴システム１は、複数の使用者３０に対応する複数の生体情報検知手段８を備える。各々の生体情報検知手段８により判定された生体情報及び体調判定結果と、使用者３０ごとの対応関係を識別する識別番号等の情報を伴って、制御部９へ送信される。リモコン装置７には、複数の使用者３０のうちの誰が入浴者かを特定するための個人特定装置（図示省略）が設けられる。個人特定装置は、例えば、入浴者を選択する入浴者選択ボタンで構成できる。使用者３０は、入浴準備の際に、自身に対応する入浴者選択ボタンを押下した後、入浴開始ボタンを押下することで、入浴を開始する。制御部９は、個人特定装置により特定された使用者３０ごとの生体情報及び体調判定結果に基づいて、入浴条件を作成及び提示する。
【００４４】
以上説明した実施の形態の入浴システムによれば、使用者の活動に生じる身体状況を詳細に把握して入浴条件の設定が可能なため、従来より使用者に適した入浴条件を提供できる。
【００４５】
また、本内容の入浴システムは複数のユーザーにも適用可能なため、一般住居のみならず例えば介護施設入居者の健康状態を管理するシステム等、集合住宅内ネットワークの一部の機能として搭載可能である。
【００４６】
また、本発明は、上述した実施の形態に限定されることはなく、本発明の主旨を逸脱しない範囲で、種々に変形することが可能である。
【符号の説明】
【００４７】
１  入浴システム、２  浴槽、３  給湯装置、４  給湯管、５  浴室環境検知手段、６  浴室環境制御手段、７  リモコン装置、８  生体情報検知手段、９  制御部、１０  表示部、１１  操作部、
１２  報知手段、１３  入浴条件作成手段、１４  給湯制御手段、１５  体調判定手段、１６  循環ポンプ、１７  浴室、１８  入浴時生体情報検知手段、２０  検知部、２１  制御部、２２  第１通信手段、２３  第２通信手段、３０  使用者
【図１】
2017015276.tif 000006
【図２】
2017015276.tif 000007
【図３】
2017015276.tif 000008
【図４】
2017015276.tif 000009
【図５】
2017015276.tif 000010
【図６】
2017015276.tif 000011
【図７】
2017015276.tif 000012
【図８】
2017015276.tif 000013
【図９】
2017015276.tif 000014